(57)【要約】【課題】防水性が向上された照明装置を提供する。【解決手段】照明装置１０は、発光部３０と、発光部３０が取付けられ、平板状のベース部１２及びベース部１２の周縁部に立設される側壁部１３を有する器具本体１１と、器具本体１１に係合して着脱可能に取付けられた枠体５２、及び、発光部３０が発する光を透過する光透過部材５１とを有する透光カバー５０を備え、側壁部１３の外周面１３ａには、透光カバー５０と係合する係合部（雄ねじ部２３）と、器具本体１１に対して内向きに凹み、周方向に延在する凹部２２が設けられている。【選択図】図６
2018116909.tif 000002
【特許請求の範囲】
【請求項１】
発光部と、
前記発光部が設置され、平板状のベース部及び前記ベース部の周縁部に立設される側壁部を有する器具本体と、
前記器具本体に係合して着脱可能に取付けられた枠体、及び、前記発光部が発する光を透過する光透過部材を有する透光カバーとを備え、
前記側壁部の外周面には、前記透光カバーと係合する係合部と、前記器具本体に対して内向きに凹み、周方向に延在する凹部とが設けられている
照明装置。
【請求項２】
前記枠体は、内周面に雌ねじ部を有する筒状であり、
前記係合部は、前記雌ねじ部と螺合する雄ねじ部であり、
前記ベース部の主面に垂直な方向において、前記凹部は、前記雄ねじ部よりも前記ベース部側に位置する
請求項１に記載の照明装置。
【請求項３】
前記主面に垂直な方向における、前記凹部よりも前記ベース部側に位置する前記枠体の内周面には、前記ベース部側に位置する前記枠体の端面側から前記器具本体に対して内向きに傾斜する傾斜面が周方向に延在して設けられている
請求項２に記載の照明装置。
【請求項４】
前記ベース部側に位置する前記枠体の端面には、前記端面から少なくとも一部が突出する凸部が設けられており、
前記側壁部は、前記器具本体に対して外向きに突出し、前記凸部を覆うように形成される鉤状の鉤部を有し、
前記凸部は、前記端面の周方向に延在し、
前記鉤部は、前記外周面の周方向に延在する
請求項２又は３に記載の照明装置。
【請求項５】
さらに、前記ベース部の主面に垂直な方向における前記凹部よりも前記ベース部側で、前記外周面の周方向に延在するパッキンを備える
請求項１〜４のいずれか１項に記載の照明装置。
【請求項６】
さらに、前記発光部が載置され、前記発光部が発する光を反射し、前記器具本体に着脱可能に取付けられている反射板を備える
請求項１〜５のいずれか１項に記載の照明装置。
【請求項７】
平面視した場合に、前記発光部は前記反射板の中央部に配置され、
前記反射板は、前記発光部から離れるにつれて開口面積が広がる形状である
請求項６に記載の照明装置。
【請求項８】
さらに、前記反射板に覆われて前記ベース部に載置され、前記発光部に電力を供給する蓄電池を備える
請求項６又は７に記載の照明装置。
【発明の詳細な説明】
【技術分野】
【０００１】
本発明は、照明装置に関する。
【背景技術】
【０００２】
従来、通常時に光源を商用交流電源などの外部電源で点灯させ、停電が発生して商用交流電源から電力が供給されなくなった場合等の非常時にバッテリ（蓄電池）の電源により光源を点灯させるようにした非常灯対応の非常用の照明装置がある。
【０００３】
例えば特許文献１には、光源モジュールと、非常時に光源モジュールを点灯させるための蓄電池と、光源モジュール及び蓄電池を収容する器具本体とを備える照明装置が開示されている。
【先行技術文献】
【特許文献】
【０００４】
【特許文献１】特開２０１６−０９１７４１号公報
【発明の概要】
【発明が解決しようとする課題】
【０００５】
ところで、照明装置は、屋外に取付けられる場合がある。その場合、雨水が直接、又は、照明装置が取付けられる造営材の壁面を伝って照明装置内に侵入する恐れがある。その場合、照明装置が備える電子部品が故障するといった問題がある。そのため、特に屋外に取付けられる照明装置には、防水性が要求される。
【０００６】
本発明は、防水性が向上された照明装置を提供する。
【課題を解決するための手段】
【０００７】
本発明の一態様に係る照明装置は、発光部と、前記発光部が設置され、平板状のベース部及び前記ベース部の周縁部に立設される側壁部を有する器具本体と、前記器具本体に係合して着脱可能に取付けられた枠体、及び、前記発光部が発する光を透過する光透過部材を有する透光カバーとを備え、前記側壁部の外周面には、前記透光カバーと係合する係合部と、前記器具本体に対して内向きに凹み、周方向に延在する凹部とが設けられている。
【発明の効果】
【０００８】
本発明によれば、防水性が向上された照明装置が実現される。
【図面の簡単な説明】
【０００９】
【図１】図１は、実施の形態に係る照明装置の下方から見た外観斜視図である。
【図２】図２は、実施の形態に係る照明装置の下方から見た分解斜視図である。
【図３】図３は、反射板に取付けられる構成要素を反射板から取り外した図である。
【図４】図４は、実施の形態に係る照明装置の透光カバーを取り外した場合の下面図である。
【図５】図５は、図４の照明装置から反射板を取り外した場合の下面図である。
【図６】図６は、図４のＶＩ−ＶＩ線に対応した位置で照明装置を切断した場合の断面図である。
【図７】図７は、実施の形態に係る照明装置の透光カバーを取り外した場合の側面図である。
【図８】図８は、図６の破線ＶＩＩＩで囲まれた領域内を示す実施の形態に係る照明装置の部分断面図である。
【図９】図９は、実施の形態に係る照明装置が造営材に取付けられた場合に、水が当該照明装置にかかったときの水の流路の一例を説明するための図である。
【図１０】図１０は、実施の形態に係る照明装置が造営材に取付けられた場合に、水が当該照明装置にかかったときの水の流路の別の一例を説明するための図である。
【発明を実施するための形態】
【００１０】
以下、実施の形態について、図面を参照しながら具体的に説明する。なお、以下で説明する実施の形態は、いずれも包括的又は具体的な例を示すものである。以下の実施の形態で示される数値、形状、材料、構成要素などは、一例であり、本発明を限定する主旨ではない。また、以下の実施の形態における構成要素のうち、最上位概念を示す独立請求項に記載されていない構成要素については、任意の構成要素として説明される。
【００１１】
また、各図は、模式図であり、必ずしも厳密に図示されたものではない。なお、各図において、実質的に同一の構成に対しては同一の符号を付しており、重複する説明は省略又は簡略化される場合がある。
【００１２】
以下の実施の形態においては、Ｙ軸方向は、例えば上下方向（鉛直方向）であり、Ｙ負方向側は、上側又は天井側と記載される場合がある。また、Ｙ軸正方向側は、下側と記載される場合がある。また、Ｘ軸方向及びＺ軸方向は、Ｙ軸に垂直な平面（水平面）上において、互いに直交する方向である。また、本明細書において、平面視とは、器具本体に設けられた主面の法線方向から当該主面を見た場合を示す。
【００１３】
また、本明細書において、「略」又は「約」とは、製造又は配置の際に生じる誤差を含むことを意味する。
【００１４】
（実施の形態）
［照明装置の構成］
実施の形態に係る照明装置の構成について詳細に説明する。
【００１５】
図１は、実施の形態に係る照明装置の下方から見た外観斜視図である。図２は、実施の形態に係る照明装置の下方から見た分解斜視図である。図３は、実施の形態に係る照明装置が備える反射板に取付けられる構成要素を反射板から取り外した図である。図４は、実施の形態に係る照明装置の透光カバーを取り外した場合の下面図である。図５は、図４の照明装置から反射板を取り外した場合の下面図である。具体的には、図５は、実施の形態に係る照明装置から透光カバーと、反射板と、反射板に取付けられる構成要素を取り外した図である。図６は、図４のＶＩ−ＶＩ線に対応する位置で照明装置を切断した場合の断面図である。つまり、図６は、透光カバーを取付けた状態の照明装置を、図４に示すＶＩ−ＶＩ線に対応する位置に沿って切断した断面を示す断面図である。図７は、実施の形態に係る照明装置の透光カバーを取り外した場合の側面図である。図８は、図６の破線ＶＩＩＩで囲まれた領域内を示す実施の形態に係る照明装置の部分断面図である。
【００１６】
図１〜図８に示されるように、照明装置１０は、器具本体１１と、発光部３０と、反射板４０と、透光カバー５０と、蓄電池６０と、点灯制御装置７０と、端子台８０と、を備える。
【００１７】
照明装置１０は、例えば、マンションの共用部などの半屋外空間で使用される、防災用（非常用）の照明装置である。照明装置１０は、具体的には、シーリングライトとして天井やブラケットライトとして壁面などの施工面に取付けられる。本実施の形態においては、照明装置１０の平面視形状は、円形である。なお、本明細書において、「平面視」とは、器具本体１１に設けられた主面１２ａ、又は、反射板４０に設けられた載置面４１を法線方向から見た場合を示す。
【００１８】
器具本体１１は、天井又は壁面などの造営材の施工面に取付けられる部材であり、言い換えれば、取付け台である。器具本体１１は、例えば、アルミダイカスト等によって形成されるが、その他の金属、又は樹脂によって形成されてもよい。器具本体１１は、平面視形状が円形の平板状のベース部１２と、ベース部１２の周縁部の下側に立設した側壁部１３とを含む有底筒状である。
【００１９】
図２及び図７に示されるように、側壁部１３の外周面１３ａには、器具本体１１に対して内向きに凹み、周方向に延在する凹部２２が設けられる。
【００２０】
また、図２に示されるように、側壁部１３の外周面１３ａには、透光カバー５０の枠体５２に設けられた被係合部（雌ねじ部）５３と螺合する係合部（雄ねじ部）２３が設けられている。
【００２１】
また、凹部２２は、雄ねじ部２３よりもベース部１２側に位置する。これによれば、例えば照明装置１０を壁面に取付けた場合に、雨水が壁面を伝って側壁部１３にきたときに、照明装置１０の内部に当該雨水が侵入する前に、当該雨水が凹部２２に流れる。
【００２２】
また、凹部２２は、透光カバー５０が有する枠体５２と側壁部１３とが重なる部分に位置されるとよい。言い換えると、凹部２２は、側壁部１３の外周面１３ａの中で、雄ねじ部２３よりもベース部１２側に位置し、且つ、枠体５２に覆われる部分に位置されるとよい。凹部２２の具体的な作用については、後述する。
【００２３】
また、図８に示されるように、側壁部１３には、器具本体１１に対して外向きに突出し、枠体５２が有する凸部５５を覆うように形成される鉤状の鉤部２１が設けられる。鉤部２１は、外周面１３ａの周方向に延在して設けられる。
【００２４】
ベース部１２は、器具本体１１を造営材に取付けるための取付け構造（開口）が設けられている。ベース部１２は、平板状であり、後述する蓄電池６０等の照明装置１０の構成部材が載置される面（主面１２ａ）とは反対側の面（取付け面１２ｂ）側が、造営材の施工面に取付けられる。なお、照明装置１０が造営材に取り付けられた場合に、造営材の施工面と、上述した蓄電池６０等の照明装置１０の構成部材が載置される主面１２ａとは、略平行となる。
【００２５】
ベース部１２には、２つの取付け部１４が備えられている。
【００２６】
なお、図１〜図６の説明においては、器具本体１１（照明装置１０）は、天井に取付けられるものとして説明が行われる。
【００２７】
取付け部１４は、主面１２ａに対して平行な方向の反射板４０の動きを規制し、反射板４０が着脱可能に取付けられる機構であり、造営材の施工面に対して垂直な方向に立設された状態でベース部１２に設けられる。つまり、取付け部１４は、反射板４０を器具本体１１に着脱可能に取付けるための部材である。なお、取付け部１４の構造は限定されるものではない。取付け部１４は、例えば、ねじ２６と、ねじ２６を支持し、ベース部１２に立設される支柱部２７とから構成される。
【００２８】
また、図３に示されるように、反射板４０は一対の取付け孔４５を有する。また、器具本体１１には、一対の取付け部１４が設けられる。また、一対の取付け孔４５と一対の取付け部１４とはそれぞれが対応した位置に配置される。図５に示されるように、一対の取付け部１４は、ベース部１２の周縁近傍の対向した位置に配置される。
【００２９】
器具本体１１のベース部１２には、蓄電池６０、点灯制御装置７０及び端子台８０が載置される。
【００３０】
蓄電池６０は、発光部３０に電力を供給する電源である。蓄電池６０は、例えば、外部からの交流電力の供給が停止されたときに、非常用の電源として使用される。蓄電池６０は、例えば、ニッケル水素電池である。蓄電池６０は、充電及び放電が可能な電池であればよく、リチウムイオン電池又は鉛蓄電池等であってもよい。蓄電池６０は、蓄電池カバー６１によって下方から覆われる。蓄電池カバー６１は、例えば、アルミダイカストによって形成されるが、樹脂によって形成されてもよい。
【００３１】
点灯制御装置７０は、照明装置１０の外部から供給される交流電力を直流電力に変換して発光部３０に供給する電源回路ユニットである。具体的には、点灯制御装置７０は、基板に回路部品が実装されることにより形成された電源回路と、樹脂製のカバーとを有する。電源回路は、整流回路及びインバータ回路などを含む。点灯制御装置７０は、例えば、ベース部１２の主面１２ａに載置された状態でベース部１２にネジ止めされる。
【００３２】
端子台８０は、外部交流電源と点灯制御装置７０とを電気的に接続させるために電線が差し込まれる１又は複数の端子が配設された端子ユニットである。交流電力は、端子台８０に差し込まれた電線を介して外部交流電源から点灯制御装置７０へ供給される。
【００３３】
また、電源回路には、蓄電池６０を充電する充電回路が含まれる。充電回路は、照明装置１０の外部から供給される交流電力を蓄電池６０の充電に適した直流電力に変換し、直流電力によって蓄電池６０を充電する。本実施の形態においては、停電時などの非常時においても照明装置１０の使用が可能なように、蓄電池６０はトリクル充電される。
【００３４】
また、電源回路には、外部からの交流電力の供給の停止（停電）を検出する検出回路、及び、蓄電池６０を放電する放電回路も含まれる。検出回路によって停電が検出されると、放電回路は、蓄電池６０を放電させる。この結果、蓄電池６０は、発光部３０に直流電力を供給する。これにより、照明装置１０は、停電時も発光を継続することができる。
【００３５】
発光部３０は、照明光を発する照明装置１０の照明用光源として機能する。発光部３０は、具体的には、基板上に実装されたＬＥＤ（Ｌｉｇｈｔ  Ｅｍｉｔｔｉｎｇ  Ｄｉｏｄｅ）チップが、蛍光体を含有する透光性樹脂によって封止されたＣＯＢ（Ｃｈｉｐ  Ｏｎ  Ｂｏａｒｄ）型の発光モジュール３１を備える。発光部３０は、円形の発光領域を有する。本実施の形態においては、発光部３０は、さらに、配光を制御するためのレンズを有し、発光部３０を反射板４０にネジ止めするためのホルダ３２を備える。発光部３０は、例えば、白色光を主とした照明光を下方に向けて発する。つまり、発光部３０は、白色光を透光カバー５０に向けて発する。なお、発光部３０と載置面４１との間には、放熱シート３３などの放熱部材が配置されてもよい。
【００３６】
また、発光部３０は、透光カバー５０が備える光透過部材５１と反射板４０との間に配置される。また、平面視した場合に、発光部３０は反射板４０下面の中央部に位置する載置面４１に配置される。発光部３０は、反射板４０の載置面４１に載置され、載置面４１にねじ止めされる。なお、図示されないが、発光部３０は、蓄電池６０及び点灯制御装置７０とリード線などによって電気的に接続される。
【００３７】
ところで、上述したように、照明装置が備える光源の交換等のために、壁、天井等の造営材に固定される照明装置の器具本体と、照明装置が備える照明装置の構成部材とが着脱可能に取付けられている場合がある。実施の形態に係る照明装置１０においては、照明装置１０は蓄電池６０を備える。一般的に、蓄電池が内蔵された例えば防災用（非常用）の照明装置は、定期的に蓄電池の状態を確認する必要がある。この際に、蓄電池が、蓄電池に要求される能力を満たしていないことが確認された場合、蓄電池は交換される必要がある。そのために、照明装置１０においては、器具本体１１に取付けられている蓄電池６０を交換しやすくするために、反射板４０及び透光カバー５０は器具本体１１と着脱可能に取付けられている。
【００３８】
反射板４０は、発光部３０が配置される載置面４１が設けられ、発光部３０が発する光を反射する板体である。また、反射板４０は、発光部３０から発せされる光を、透光カバー５０（具体的には、光透過部材５１）側へ反射する。また、反射板４０は、発光部３０を器具本体１１に着脱可能に取付けるための取付け部材である。具体的には、反射板４０は、主面１２ａに対して平行な方向にスライドされることにより、器具本体１１（具体的には、取付け部１４）に着脱可能に取付けられる。また、反射板４０は、ベース部１２に載置された蓄電池６０、点灯制御装置７０及び端子台８０を覆うように器具本体１１に取付けられる。言い換えると、蓄電池６０、点灯制御装置７０及び端子台８０は、反射板４０に覆われて器具本体１１に載置される。
【００３９】
また、反射板４０は、発光部３０の光軸Ｌ方向（図６に示すＹ軸方向）において、器具本体１１（具体的にはベース部１２）と透光カバー５０（具体的には透光カバー５０が備える光透過部材５１）との間に配置される。図６に示されるように、反射板４０とベース部１２との間、及び、反射板４０と光透過部材５１との間のそれぞれには、空隙（空気層）が形成される。つまり、反射板４０は、器具本体１１及び光透過部材５１のいずれの部材とも直接接触しない。このように、発光部３０が反射板４０の載置面４１に載置される構造によれば、発光部３０がベース部１２に載置される構造よりも、発光部３０が発する熱がベース部１２に伝わりにくい効果が得られる。
【００４０】
また、反射板４０は、上方（ベース部１２側）に向かうほど縮径する略漏斗状である。言い換えると、反射板４０は、発光部３０から離れるにつれて開口面積が広がる形状である。反射板４０は、例えば、アルミニウムによって形成されるが、その他の金属又は樹脂によって形成されてもよい。
【００４１】
なお、ベース部１２に載置される蓄電池６０、点灯制御装置７０及び端子台８０は、反射板４０が器具本体１１にスライドされて取付けられる際に反射板４０と接触しない位置に載置されるとよい。具体的には、上述したように反射板４０は略漏斗状であるため、載置面４１の上部ではなく、傾斜部４２又は平坦部４３の上部に蓄電池６０及び端子台８０が載置されるとよい。こうすることで、反射板４０は、蓄電池６０及び端子台８０に接触することなく、取付け部１４に取付けられる。
【００４２】
図３に示されるように、反射板４０は、載置面４１、傾斜部４２、及び平坦部４３を有する。
【００４３】
載置面４１は、反射板４０の略中心部に位置し、発光部３０が載置される平面である。載置面４１の平面視形状は、特に限定されるものではないが、本実施の形態においては円形である。発光部３０は、載置面４１に載置されることにより、光透過部材５１と反射板４０との間に位置する。
【００４４】
また、反射板４０のうち載置面４１の反対側の面、つまり、載置面４１と背向する面には、ヒートシンクが配置されてもよい。当該ヒートシンクによれば、発光部３０が発光中に発する熱を当該ヒートシンクに逃がすことができる。当該ヒートシンクは、例えば、アルミダイカストによって形成されるが、その他の金属によって形成されてもよい。
【００４５】
また、反射板４０には、発光部３０が発する光を透光カバー５０側に反射させる傾斜部４２が含まれるとよい。傾斜部４２は、載置面４１の周囲を囲むように載置面４１と連続的に形成された部分であり、発光部３０が発する光の一部を光透過部材５１に向けて反射する。傾斜部４２は、径方向において一部が湾曲したテーパ部分である。
【００４６】
また、反射板４０の周縁部は、傾斜部４２に対して傾斜して延在したフランジ状の平坦部４３が設けられる。具体的には、反射板４０の周縁部には、傾斜部４２に対して傾斜し、載置面４１に対して略平行な平坦部４３が設けられる。言い換えると、反射板４０の周縁近傍には、発光部３０が発する光の光軸Ｌ方向に対して略垂直方向に屈曲して形成された平坦部４３が設けられる。平坦部４３には、取付け孔４５が設けられる。
【００４７】
反射板４０の周縁部には、一対の取付け孔４５が対向して配置される。取付け孔４５は、取付け部１４に対応して位置し、光軸Ｌ方向に貫通して形成された孔である。取付け孔４５が取付け部１４に係合されることで、反射板４０は器具本体１１に取付けられる。なお、反射板４０の平坦部４３に配置される取付け孔４５の数は特に限定されるものではない。器具本体１１に設けられる取付け部１４に対応した数だけ設けられるとよい。
【００４８】
透光カバー５０は、照明装置１０の外郭筐体の一部を構成する、器具本体１１と着脱可能なカバー部材である。透光カバー５０は、光透過部材５１と、枠体５２とを備える。
【００４９】
光透過部材５１は、下方に向かって突出した略円形ドーム状の光学部材（グローブ）である。光透過部材５１は、例えば、白色又は乳白色であり、光拡散性（光散乱性）及び透光性を有する。
【００５０】
光透過部材５１は、枠体５２の下側の開口を塞ぐように枠体５２に取付けられる。光透過部材５１は、具体的には、外側に向かって鍔状にせり出した光透過部材５１の縁が、支持枠１００と枠体５２の鍔状にせり出した部分との間に挟み込まれることによって、枠体５２に取付けられる。
【００５１】
光透過部材５１は、例えば、ガラスによって形成されるが、シリコーン樹脂、アクリル樹脂、又は、ポリカーボネート樹脂によって形成されてもよい。また、光透過部材５１は、表面にシルク印刷が行われることによって光拡散性を有してもよい。また、光透過部材５１は、シリカ又は炭酸カルシウムなどの光拡散材（微粒子）を含有することにより光拡散性を有してもよい。また、光透過部材５１の表面（内面又は外面）に光拡散材等を含む乳白色の光拡散膜を形成することで、光透過部材５１は光拡散性を有してもよい。また、光拡散材を用いるのではなくシボ加工処理等によって光透過部材５１の表面に微小凹凸を形成したり、光透過部材５１の表面にドットパターンを印刷したりすることで、光透過部材５１は光拡散性を有してもよい。また、上述した光拡散性を持たせる材料、形状等を組み合わせることで、光透過部材５１は光拡散性を有してもよい。
【００５２】
枠体５２は、発光部３０及び反射板４０などを側方から囲む筒状筐体である。枠体５２は、円筒状である。枠体５２は、器具本体１１及び光透過部材５１とともに、照明装置１０の外郭筐体を構成する。枠体５２は、外郭筐体の側壁部分に相当する。なお、枠体５２は、取付け部１４には接触しない。枠体５２と取付け部１４との間には空隙（空気層）が形成される。
【００５３】
枠体５２は、上側の開口に器具本体１１が配置された状態で回動されることにより、器具本体１１に接続される。具体的には、枠体５２の内周面５２ａには、被係合部（雌ねじ部）５３が設けられている。側壁部１３の外周面１３ａに設けられた係合部（雄ねじ部）２３と雌ねじ部５３とが係合（螺合）することにより、透光カバー５０は器具本体１１に着脱可能に取付けられる。
【００５４】
また、ベース部１２側に位置する枠体５２の端面５４には、端面５４から少なくとも一部が突出する凸部５５が設けられている。凸部５５は、端面５４の周方向に延在して設けられる。
【００５５】
また、ベース部１２の主面１２ａに垂直な方向における、凹部２２よりもベース部１２側に位置する枠体５２の内周面５２ａには、雌ねじ部５３と、ベース部１２側に位置する枠体５２の端面５４側から器具本体１１に対して内向きに傾斜する傾斜面５２ｂが周方向に延在して設けられる。言い換えると、枠体の５２の内周面５２ａには、枠体５２の端部から光透過部材５１側へ向かうにつれて縮径する部分が設けられる。
【００５６】
また、ベース部１２側に位置する枠体５２の端面５４には、端面５４から少なくとも一部が突出する凸部５５が設けられる。凸部５５は、端面５４の周方向に延在して設けられる。
【００５７】
枠体５２は、例えば、アルミダイカストによって形成されるが、その他の金属、又は、樹脂によって形成されてもよい。
【００５８】
また、器具本体１１に透光カバー５０が取付けられた場合に、照明装置１０は、発光部３０が発する光の光軸Ｌ方向の長さ（高さ）に対して、光軸Ｌ方向に対して垂直な方向の長さ（幅）の方が大きい扁平形状である。なお、本実施の形態においては、照明装置１０は、平面視において円形であるが、楕円形状又は多角形などでもよく、平面視形状は限定されない。照明装置１０の平面視形状が円形ではない場合は、照明装置１０は、発光部３０が発する光の光軸Ｌに平行な方向の長さに対して、照明装置１０における最も長い垂直な方向の長さの方が大きい扁平形状であればよい。
【００５９】
なお、照明装置１０が防災用の照明装置として採用される場合、照明装置１０の外郭筐体を構成する器具本体１１及び透光カバー５０は、不燃性又は難燃性の材料で形成されるとよい。具体的には、上述したように、器具本体１１及び枠体５２はアルミダイカストによって形成され、光透過部材５１はガラスによって形成されるとよい。こうすることにより、火災が発生した際などに、照明装置１０が延焼によって発火することが抑制される。
【００６０】
また、照明装置１０は、パッキン１１０をさらに備える。
【００６１】
パッキン１１０は、側壁部１３の外周面１３ａと枠体５２の内周面５２ａとの間に位置し、枠体５２と側壁部１３とを密着させやすくするための環状の気密封止部材である。パッキン１１０は、側壁部１３の外周面１３ａに沿って配置される。言い換えると、パッキン１１０は側壁部１３の外周面１３ａに、器具本体１１の周方向に延在して配置される。パッキン１１０は、例えば、ゴム弾性を有する樹脂材料によって形成される。
【００６２】
なお、照明装置１０は、取付けシート９０をさらに備えてもよい。
【００６３】
取付けシート９０は、ベース部１２の取付け面１２ｂ側に配置され、ベース部１２と造営材とを密着させやすくするための緩衝部材である。取付けシート９０には、ベース部１２に形成された造営材に取付けるための取付け構造（開口）に対応した位置に、取付け構造（開口）が形成される。取付けシート９０は、例えば、不燃性又は難燃性であり、水が不透過のウレタン等の樹脂材料によって形成される。
【００６４】
次に、図９及び図１０を参照して、照明装置１０が造営材に取付けられた場合に、雨水等の水が照明装置１０にかかったときの水の流路について説明する。
【００６５】
図９は、実施の形態に係る照明装置１０が造営材Ｂに取付けられた場合に、水が照明装置１０にかかったときの水の流路の一例を説明するための図である。具体的には、図９は、造営材Ｂが天井である場合に、天井面に照明装置１０が取付けられたときを説明するための図である。なお、図９に示される白抜きの矢印方向に、水が流れるものとして説明する。また、図９に示される照明装置１０は、図４に示されるＶＩ−ＶＩ線に対応する位置に沿って切断された断面図である。
【００６６】
雨水等の水が照明装置１０の鉤部２１にかかった場合を考える。この場合に、水は、鉤部２１の外面を伝って枠体５２の端面５４に到達する。この場合に、枠体５２の外周面を伝って照明装置１０の下方へ移動する水もあるが、側壁部１３と枠体５２との間の隙間に入る水も存在する。ここで、側壁部１３と枠体５２との間の隙間に入る水は凸部５５に衝突する。具体的には、図９に示される白抜きの点線矢印の方向へ移動する水は凸部５５に衝突する。そのため、水は照明装置１０の内部に侵入することなく、照明装置１０の外部に流れる。具体的には、水は照明装置１０の内部に侵入することなく、図９に示される白抜きの点線矢印とは反対の方向へ移動し、照明装置１０の外部に移動する。つまり、側壁部１３に凸部５５が設けられているために、水は照明装置１０の内部に侵入されにくくなる。
【００６７】
次に、照明装置１０が壁面に取付けられた場合について説明する。
【００６８】
図１０は、実施の形態に係る照明装置１０が造営材Ｂに取付けられた場合に、水が照明装置１０にかかったときの水の流路の別の一例を説明するための図である。具体的には、図１０は、造営材が壁である場合に、壁面に照明装置１０が取付けられたときを説明するための図である。より具体的には、図１０において、造営材の壁面はＸＺ平面である。また、照明装置１０は、Ｚ軸正方向側に発光部３０からの光が発せられるように造営材の壁面に取付けられている。なお、図１０に示される白抜きの矢印方向に、水が流れるものとして説明する。また、図１０に示される照明装置１０は、図４に示されるＶＩ−ＶＩ線に対応する位置に沿って切断された断面図である。
【００６９】
照明装置１０の上方から、雨水等の水が照明装置１０にかかった場合を考える。この場合に、水は枠体５２と側壁部１３との間の隙間を通じて凹部２２に到達する。その後に、水は側壁部１３の外周面１３ａを伝って照明装置１０の下方側に位置する凹部２２に到達する（図１０に示される一点鎖線に対応）。水は、さらに枠体５２に設けられた傾斜面５２ｂを伝って、照明装置１０の下方へ出ていく。凹部２２が雄ねじ部２３よりもベース部１２側に位置し、且つ枠体５２と側壁部１３とが重なる部分に位置されることにより、水が照明装置１０にかかった場合に、枠体５２と側壁部１３との間の隙間から照明装置１０内部に侵入しようとする水は、凹部２２によって照明装置１０内部へ侵入しにくくなる。つまり、照明装置１０が造営材Ｂの壁面Ｗに取付けられた場合においても、側壁部１３に凹部２２が設けられ、且つ、枠体５２の内周面５２ａに傾斜面５２ｂが設けられることで、照明装置１０にかかった雨水等の水は、照明装置１０の内部に侵入されにくくなる。また、側壁部１３に凹部２２が設けられ、且つ、枠体５２の内周面５２ａに傾斜面５２ｂが設けられることで、照明装置１０にかかった雨水等の水は、凹部２２を通って照明装置１０の外部に移動されやすくなる。
【００７０】
［効果等］
以上説明したように、照明装置１０は、発光部３０と、発光部３０が設置され、平板状のベース部１２及びベース部１２の周縁部に立設される側壁部１３を有する器具本体１１と、器具本体１１に係合して着脱可能に取付けられた枠体５２、及び、発光部３０が発する光を透過する光透過部材５１を有する透光カバー５０とを備える。側壁部１３の外周面１３ａには、透光カバー５０と係合する係合部２３と、器具本体１１に対して内向きに凹み、周方向に延在する凹部２２とが設けられている。
【００７１】
こうすることで、照明装置１０を造営物Ｂの壁面Ｗに取付けた場合に、照明装置１０にかかった雨水等の水が、凹部２２を流れる、つまり照明装置１０の外周を伝って照明装置１０の下方に移動する。これにより、照明装置１０の内部に水が侵入することが抑制される。そのため、照明装置１０によれば、防水性が向上される。
【００７２】
また、枠体５２は、内周面５２ａに雌ねじ部５３を有する筒状でもよく、係合部２３は、雌ねじ部５３と螺合する雄ねじ部でもよい。また、ベース部１２の主面１２ａに垂直な方向において、凹部２２は、雄ねじ部（係合部）２３よりもベース部１２側に位置してもよい。
【００７３】
こうすることで、照明装置１０を造営材Ｂの壁面Ｗに取付けた場合に、照明装置１０にかかった雨水等の水が最も照明装置１０の内部に侵入しやすい枠体５２と側壁部１３の螺合部分（雄ねじ部２３及び雌ねじ部５３）の近傍に凹部２２が形成される。例えば造営材Ｂの壁面Ｗを伝って照明装置１０の内部に向かう水は、当該螺合部分に到達する前に、凹部２２に流れることとなる。つまり、水は、照明装置１０の外周を伝って照明装置１０の下方に移動する。これにより、照明装置１０の内部に水が侵入することがより抑制される。そのため、照明装置１０によれば、防水性が向上される。
【００７４】
また、主面１２ａに垂直な方向における、凹部２２よりもベース部１２側に位置する枠体５２の内周面５２ａには、ベース部１２側に位置する枠体５２の端面５４側から器具本体１１に対して内向きに傾斜する傾斜面５２ｂが周方向に延在して設けられてもよい。
【００７５】
これにより、雨水等の水が凹部２２を流れて照明装置１０の下方に到達した場合に、照明装置１０に水がたまりにくい。そのため、照明装置１０によれば、防水性がより向上される。
【００７６】
また、ベース部１２側に位置する枠体５２の端面５４には、端面５４から少なくとも一部が突出する凸部５５が設けられていてもよい。また、側壁部１３は、器具本体１１に対して外向きに突出し、凸部５５を覆うように形成される鉤状の鉤部２１を有してもよい。また、凸部５５は、端面５４の周方向に延在してもよい。また、鉤部２１は、外周面１３ａの周方向に延在する。
【００７７】
これにより、照明装置１０を造営材Ｂの天井面Ｃに取付けた場合に、例えば天井面Ｃを伝って照明装置１０に到達した雨水等の水は、照明装置１０の内部に侵入しにくくなる。そのため、照明装置１０によれば、防水性が向上される。
【００７８】
また、照明装置１０は、さらに、ベース部１２の主面１２ａに垂直な方向における凹部２２よりもベース部１２側で、外周面１３ａの周方向に延在するパッキン１１０を備えてもよい。
【００７９】
これにより、枠体５２と側壁部１３とは密着して係合（螺合）されやすくなる。そのため、透光カバー５０は、器具本体１１から外れにくくなる。
【００８０】
また、照明装置１０は、さらに、発光部３０が載置され、発光部３０が発する光を反射し、器具本体１１に着脱可能に取付けられている反射板４０を備えてもよい。
【００８１】
つまり、照明装置１０の光源である発光部３０は、照明装置１０と着脱可能に取付けられる。そのため、照明装置１０によれば、発光部３０が故障した際に、発光部３０は交換されやすい。
【００８２】
また、平面視した場合に、発光部３０は反射板４０の中央部に配置されてもよい。また、反射板４０は、発光部３０から離れるにつれて開口面積が広がる形状でもよい。
【００８３】
具体的には、反射板４０は、発光部３０が載置される載置面４１と、載置面４１に対して傾斜して延在する傾斜部４２とを備える。これにより、傾斜部４２で反射される発光部３０から発せられる光は、照明装置１０の外部へより効率よく導かれる。
【００８４】
また、照明装置１０は、さらに、反射板４０に覆われてベース部１２に載置され、発光部３０に電力を供給する蓄電池６０を備えてもよい。
【００８５】
これにより、照明装置１０は、停電などが発生した際においても、蓄電池６０から発光部３０へ電力が供給される。そのため、例えば災害などが発生した場合に外部交流電源から電力が供給されない場合においても、発光部３０は光を発することができる。
【００８６】
（その他の実施の形態）
以上、実施の形態に係る照明装置について説明したが、本発明は、このような実施の形態に限定されるものではない。
【００８７】
上記実施の形態で説明された照明装置の形状は、一例である。例えば、上記実施の形態では、照明装置の平面視形状は、円形であったが、照明装置の平面視形状は、矩形などの多角形であってもよい。
【００８８】
また、上記実施の形態では、発光部として、ＣＯＢ型の発光モジュールが用いられたが、発光部の態様は特に限定されるものではない。例えば、ＳＭＤ型の発光モジュールが発光部として用いられてもよい。また、発光部には、ＬＥＤチップを用いた発光モジュールに代えて、蛍光管、メタルハライドランプ、ナトリウムランプ、ハロゲンランプ、キセノンランプ、又は、ネオン管等が用いられてもよい。また、発光部には、無機エレクトロルミネッセンス、有機エレクトロルミネッセンス、ケミルミネッセンス（化学発光）、又は、半導体レーザー等が用いられてもよい。
【００８９】
以上、一つ又は複数の態様に係る照明装置について、実施の形態に基づいて説明したが、本発明は、この実施の形態に限定されるものではない。本発明の趣旨を逸脱しない限り、当業者が思いつく各種変形を本実施の形態に施したものや、異なる実施の形態における構成要素を組み合わせて構築される形態も、一つ又は複数の態様の範囲内に含まれてもよい。
【符号の説明】
【００９０】
１０  照明装置
１１  器具本体
１２  ベース部
１３  側壁部
１３ａ  外周面
１４  取付け部
２１  鉤部
２２  凹部
２３  係合部（雄ねじ部）
３０  発光部
４０  反射板
５０  透光カバー
５１  光透過部材
５２  枠体
５２ａ  内周面
５２ｂ  傾斜面
５３  被係合部（雌ねじ部）
５４  端面
５５  凸部
６０  蓄電池
１１０  パッキン
【図１】
2018116909.tif 000003
【図２】
2018116909.tif 000004
【図３】
2018116909.tif 000005
【図４】
2018116909.tif 000006
【図５】
2018116909.tif 000007
【図６】
2018116909.tif 000008
【図７】
2018116909.tif 000009
【図８】
2018116909.tif 000010
【図９】
2018116909.tif 000011
【図１０】
2018116909.tif 000012